(57)【要約】【課題】  軽量化を図ることができる集光器及びこれを備えた集光装置を提供する。【解決手段】本発明は、直線状に延在するレシーバ２に対して集光する反射部３を有するトラフ型の集光器４であって、反射部３が配置される樹脂製の基材９と、基材９に対して反射部３の反対側に設けられ、レシーバ２に沿って延在する金属製のトルクチューブ１０と、トルクチューブ１０と交差する方向で基材９に沿って延在し、基材９及びトルクチューブ１０に固定された金属リブ１１と、を備え、基材９には、反射部３と反対側に多角形格子状の補強リブ面Ａが設けられている。【選択図】図４
2013029537.tif 000002
【特許請求の範囲】
【請求項１】
直線状に延在するレシーバに対して集光する反射部を有するトラフ型の集光器であって、
前記反射部が配置される樹脂製の基材と、
前記基材に対して前記反射部の反対側に設けられ、前記レシーバに沿って延在する金属製のねじれ荷重受け部材と、
前記ねじれ荷重受け部材と交差する方向で前記基材に沿って延在し、前記基材及び前記ねじれ荷重受け部材に固定された曲げ荷重受け部材と、を備え、
前記基材には、前記反射部と反対側に多角形格子状の補強リブ面が設けられていることを特徴とする集光器。
【請求項２】
前記曲げ荷重受け部材は、当該曲げ荷重受け部材の延在方向において前記基材の両端に至っていることを特徴とする請求項１に記載の集光器。
【請求項３】
前記反射部は、フィルムミラーであることを特徴とする請求項１又は２に記載の集光器。
【請求項４】
前記反射部は、厚さが０．０３ｍｍ〜１ｍｍの薄型ガラスミラーであることを特徴とする請求項１又は２に記載の集光器。
【請求項５】
前記基材は、射出成形又は圧縮成形により形成されることを特徴とする請求項１〜４の何れか一項に記載の集光器。
【請求項６】
前記基材は、アクリル、ポリカーボネート、ポリメチル、メタクレート、スチレン、ポリスチレンのうち何れかの材料からなることを特徴とする請求項１〜５の何れか一項に記載の集光器。
【請求項７】
前記反射部及び前記基材には、前記反射部の正面側から前記基材における前記反射部の反対側へ抜ける風通しスリットが形成されていることを特徴とする請求項１〜６の何れか一項に記載の集光器。
【請求項８】
請求項１〜７の何れか一項に記載の集光器と、太陽の動きに合わせて当該集光器の向きを変える駆動機構と、を備えることを特徴とする集光装置。
【発明の詳細な説明】
【技術分野】
【０００１】
本発明は、太陽光を集光する反射型の集光器及びこれを備えた集光装置に関する。
【背景技術】
【０００２】
近年、再生可能な自然エネルギーである太陽光の利用が広く検討されている。太陽光の利用には、太陽電池により直接電気に変換する手法と太陽光を吸収して太陽熱として利用する手法とが知られている。太陽熱の利用は半導体を用いないことから太陽電池に比べて初期投資を低く抑えられ、近年注目を再び集めている。このため、太陽熱を効率的に得られる集光装置の開発が世界各国で行われている。
【０００３】
集光装置には、トラフ型、タワー型、ディッシュ型、フレネル型等が知られている。ここではトラフ型について説明する。トラフ型の集光装置は、直線状のレシーバに対して集光する樋状の集光器と、太陽の動きに合わせて集光器の向きを変えるための駆動機構と、を備えている。トラフ型の集光装置では、管状のレシーバ内部を熱輸送流体が流れており、集光によってレシーバが得た熱が熱輸送流体により輸送されることで、太陽熱の利用が行われる。
【０００４】
トラフ型の集光装置に備えられる集光器としては、太陽光を反射するガラス鏡を金属製の構造体で支持する構成のものが知られている（例えば、特許文献１，２参照）。特許文献１には、金属製の角パイプを枠組みしてなる構造体によりガラス鏡を支持する集光器が開示されている。
【先行技術文献】
【特許文献】
【０００５】
【特許文献１】特開昭５９−２３３０２号公報
【特許文献２】特開２００７−１６２６７１号公報
【発明の概要】
【発明が解決しようとする課題】
【０００６】
ところで、トラフ型集光装置の集光器は、強風を受けても変形しないように十分な強度を備える必要がある。一方で、強度を高めるために集光器の構造体の部材を増やしたり厚肉にしたりすると、集光器の製造コストが向上し、重量も増加してしまう。集光器の重量の増加は、駆動機構の大型化を招き、装置全体の製造コスト増加に繋がる。このため、集光器の軽量化が強く求められている。
【０００７】
そこで、本発明は、軽量化を図ることができる集光器及びこれを備えた集光装置を提供することを目的とする。
【課題を解決するための手段】
【０００８】
上記課題を解決するため、本発明は、直線状に延在するレシーバに対して集光する反射部を有するトラフ型の集光器であって、反射部が配置される樹脂製の基材と、基材に対して反射部の反対側に設けられ、レシーバに沿って延在する金属製のねじれ荷重受け部材と、ねじれ荷重受け部材と交差する方向で基材に沿って延在し、基材及びねじれ荷重受け部材に固定された曲げ荷重受け部材と、を備え、基材には、反射部と反対側に多角形格子状の補強リブ面が設けられていることを特徴とする。
【０００９】
この集光器によれば、樹脂製の基材を採用することにより、金属製の場合と比べて大幅な軽量化を図ることができる。しかも、樹脂製の基材に多角形格子状の補強リブ面を設けることで、樹脂使用量を少なく抑えつつ十分な強度を確保することができる。更に、風等により集光器が受ける荷重をねじれ荷重受け部材及び曲げ荷重受け部材によって効率的に分担する構成とすることで、集光器の構造の簡素化及び軽量化を図りつつ、集光器の強度を確保することができる。また、ねじれ荷重受け部材及び曲げ荷重受け部材を備えることにより基材の強度的負担を軽減できるので、基材の薄型化及び軽量化を図ることができる。従って、この集光器によれば、従来品と比べて大幅な軽量化を図ることができる。
【００１０】
上記集光器においては、曲げ荷重受け部材は、当該曲げ荷重受け部材の延在方向において基材の両端に至っていても良い。
この集光器によれば、曲げ荷重受け部材が基材の端部まで至っているので、風等により基材の端部に荷重が加わっても、曲げ荷重受け部材が荷重を受けることができ、耐久性の向上を図ることができる。
【００１１】
上記集光器において、反射部は、フィルムミラーであっても良い。
この集光器によれば、反射部にフィルムミラーを採用することで、ガラスミラーを用いる場合と比べて、大幅な軽量化が可能になる。また、この集光器によれば、製造コスト増加の原因であったガラスの湾曲加工が不要となるので、集光器の製造コストの低減を図ることができる。
【００１２】
上記集光器において、反射部は、厚さが０．０３ｍｍ〜１ｍｍの薄型ガラスミラーであっても良い。
この集光器によれば、反射部に強度を持たせる必要がないので、厚さが０．０３ｍｍ〜１ｍｍの薄型ガラスミラーを採用することにより、集光器の軽量化を図ることができる。
【００１３】
上記集光器において、基材は、射出成形又は圧縮成形により形成されてもよい。
この場合、補強リブ面を有する基材をワンプロセスで得ることができるので、製造効率を高くすることができ、大量生産に有利である。
【００１４】
上記集光器において、基材は、アクリル、ポリカーボネート、ポリメチル、メタクレート、スチレン、ポリスチレンのうち何れかの材料からなるものであっても良い。
この集光器によれば、太陽光（特に紫外線）の耐性が高い樹脂により基材を形成することで、集光器の寿命向上を図ることができる。
【００１５】
上記集光器において、反射部及び基材には、反射部の正面側から基材における反射部の反対側へ抜ける風通しスリットが形成されていても良い。
この集光器によれば、風通しスリットにより集光器に吹き付ける風を通過させることができるので、風により集光器に加えられる荷重を大きく減らすことができる。従って、この集光器によれば、風に対する耐久性を向上させることができるので、集光器の寿命向上を図ることができる。
【００１６】
本発明に係る集光装置は、上記いずれかの集光器と、太陽の動きに合わせて当該集光器の向きを変える駆動機構と、を備えることを特徴とする。
この集光装置によれば、集光器の大幅な軽量化を図ることができるので、装置全体の軽量化が実現できる。従って、この集光装置によれば、集光器の軽量化により駆動機構に求められる出力が小さくなるので、駆動機構を小型なものとすることができ、装置の製造コストの低減を図ることができる。
【発明の効果】
【００１７】
本発明によれば、軽量化を図ることができる。
【図面の簡単な説明】
【００１８】
【図１】第１の実施形態に係る集光装置を示す斜視図である。
【図２】図１の集光装置を示す側面図である。
【図３】図１の集光器を表側から見た斜視図である。
【図４】図１の集光器を裏側から見た斜視図である。
【図５】第２の実施形態に係る集光装置の集光器を示す斜視図である。
【発明を実施するための形態】
【００１９】
以下、本発明の好適な実施形態について、図面を参照して詳細に説明する。
【００２０】
［第１の実施形態］
図１に示されるように、第１の実施形態に係る集光装置１は、直線状に延在するレシーバ２と、レシーバ２に対して集光する樋状の反射部３を有する集光器４と、を多数備えたトラフ型の集光装置である。図１では、一列に並ぶ二台の集光器４を例示して説明を行う。各集光器４はレシーバ２を一本ずつ有しており、これらのレシーバ２はジョイントとして機能するレシーバ支持部材５によって連結されている。
【００２１】
トラフ型の集光装置１では、チューブ状のレシーバ２内部を熱輸送流体が流れており、集光器４の集光によりレシーバ２が得た熱が熱輸送流体によって輸送され、太陽熱として利用される。太陽熱は、例えば蒸気発電、給湯、蒸気供給、暖房空調、冷房空調（吸収式冷凍機の高温熱源）等に利用される。なお、レシーバ２は、レシーバ支持部材５を介して集光器４に固定されている。
【００２２】
図１及び図２に示されるように、集光装置１は、集光器４を回転可能に支持する支持台６と、太陽の動きに合わせて集光器４の向きを変える駆動機構７と、を備えている。支持台６は、集光器４の左右に配置されており、レシーバ２に平行な水平軸を回転中心として集光器４を回転可能に支持している。
【００２３】
駆動機構７は、支持台６と集光器４との間に設けられ、集光器４を回転駆動させるものである。回転した集光器４の例を図２に一点鎖線で示す。駆動機構７には、電気式や油圧式等様々な機構のアクチュエータを採用することができる。なお、駆動機構７は、必ずしも集光器４を３６０度回転させる必要はなく、３６０度未満で揺動させる構成であっても良い。また、全ての支持台６に駆動機構７を設ける必要はない。
【００２４】
図３及び図４に示されるように、集光器４は、太陽光を反射する樋状の反射部３と、反射部３が配置される基材９と、基材９の裏側（基材９に対して反射部３と反対側）に設けられたトルクチューブ１０と、基材９及びトルクチューブ１０に固定された金属リブ１１と、を備えている。
【００２５】
反射部３は、樹脂フィルムに反射用の金属膜を形成したフィルムミラーである。樹脂フィルムの材料としては、アクリル、ポリエチレンテレフタラート、ポリエチレンナフタレート、ポリエチレン、ポリプロピレン等を用いることができる。また、金属膜の材料としては、銀やアルミニウム等を用いることができる。
【００２６】
反射部３は、図２に示される集光装置１の側面方向から見て、レシーバ２を囲むように樋状に湾曲している。また、反射部３におけるレシーバ２と垂直な断面は、レシーバ２を焦点とした放物線形状をなしている。なお、反射部３は、必ずしも断面が放物線形状である必要はない。反射部３は、平面部分を有していても良く、いわゆるフレネル型のミラー形状等であっても良い。
【００２７】
基材９は、反射部３が配置される樹脂製の板状部材である。基材９は、直線状のレシーバ２を囲むように樋状に湾曲している。基材９は、例えばアクリル、ポリカーボネート、ポリメチル、メタクレート、スチレン、ポリスチレン等の材料から形成されている。集光装置１は、砂漠地域や乾燥地域など太陽光の影響の強い環境下で使用されるため、太陽光（特に紫外線）の耐性が高い樹脂から基材９を形成することで、集光器４の寿命向上を図ることができる。
【００２８】
また、基材９は、反射部３の樹脂材料と線膨張係数の近い樹脂材料から構成されている。このように、反射部３及び基材９が線膨張係数の近い樹脂材料から形成されることで、環境温度の変化に伴う熱変形により反射部３と基材９との間にストレスが発生することを避けることができる。このことは、集光器４の寿命向上に寄与する。
【００２９】
図３及び図４に示されるように、基材９及び反射部３は、１６個のミラーユニットに分けることができる。ミラーユニットは、基材９を構成する基材パネルの表面に反射部３を構成するミラー面が形成されたものである。基材９及び反射部３は、基材９の横方向（レシーバ２の延在方向）に並ぶ四個のミラーユニットを一列とした場合、四列のミラーユニットに分けられる。図３に四列のミラーユニットのミラー面の列３ａ〜３ｄを示す。また、図４に四列のミラーユニットの基材パネルの列９ａ〜９ｄを示す。
【００３０】
各ミラーユニットは、横方向及び縦方向で互いに連結されている。なお、各ミラーユニットは、熱変形等を考慮して横方向にのみ連結されていても良い。各ミラーユニットは、互いに分離可能に連結されている。
【００３１】
このように基材９及び反射部３を複数のミラーユニットから構成することで、一部に破損等が生じた場合であっても、破損の生じたミラーユニットのみを交換すれば良く、集光器４のメンテナンスを簡素化することができる。なお、ミラーユニットの数は１６に限られず、集光器４の大きさ等に応じて変更される。また、基材９及び反射部３は、必ずしも複数のミラーユニットから構成される必要はなく、一個のミラーユニットから構成されても良い。
【００３２】
基材９の裏側（基材９に対して反射部３と反対側）には、四角形格子状の補強リブ面Ａが形成されている。補強リブ面Ａは、基材９の裏側の面全体に形成されており、基材９の撓み発生を抑えるためのものである。補強リブ面Ａは、基材９の横方向に延びる横リブ１２と、横リブ１２に直交する縦リブ１３と、を有している。各ミラーユニットの補強リブ面Ａは、例えば５本の横リブ１２と３本の縦リブ１３とを有している。なお、補強リブ面Ａには、横リブ１２及び縦リブ１３に囲まれた基材９の裏面も含まれる。
【００３３】
このような基材９は、射出成形や圧縮成形により形成される。例えば、射出成形において、溶融状に加熱した熱可塑性樹脂を射出機から金型内に射出した後、金型内で熱可塑性樹脂を固化させることにより基材９を形成することができる。
【００３４】
このように射出成形や圧縮成形により基材９を形成することにより、補強リブ面Ａを有する基材９をワンプロセスで得ることができる。その結果、基材９の製造効率を高くすることができるので、大量生産に有利である。なお、基材９の形成方法は、射出成形や圧縮成形の他、様々な方法を採用できる。例えば、高温エンボス加工により補強リブ面Ａを有する基材９を連続成形する態様であっても良い。
【００３５】
基材９の裏側には、集光器４の強度を確保するためにトルクチューブ（ねじれ荷重受け部材）１０及び金属リブ（曲げ荷重受け部材）１１が設けられている。トルクチューブ１０は、レシーバ２に沿って横方向に延在する金属製の管状部材である。トルクチューブ１０は、集光器４に加わるねじれ荷重を受けるものである。このトルクチューブ１０は、支持台６の駆動機構７と連結されており、集光器４の回転中心に位置している。なお、必ずしもトルクチューブ１０を集光器４の回転中心とする必要はない。
【００３６】
金属リブ１１は、トルクチューブ１０と直交する方向（縦方向）で基材９の補強リブ面Ａに沿って延在する円弧状の板部材である。金属リブ１１は、集光器４に加わる縦方向の曲げ荷重を受けるものである。金属リブ１１は、基材９及びトルクチューブ１０と一体に固定されている。
【００３７】
金属リブ１１は、基材９に対して５枚配置されており、５枚の金属リブ１１の中心を貫いた状態でトルクチューブ１０が固定されている。基材９の左右両端に位置する２枚の金属リブ１１は、基材９を挟み込んだ状態でボルト止めされている。また、金属リブ１１には、軽量化のための孔部１１ａが各４箇所形成されている。
【００３８】
これらの金属リブ１１は、金属リブ１１の延在方向（縦方向）において基材９の両端に至っている。このように、金属リブ１１が基材９の端部まで至っていることで、風等により基材９の端部に曲げ荷重が加わっても、金属リブ１１が荷重を受けることができ、集光器４の耐久性の向上が図られる。
【００３９】
以上説明した第１の実施形態に係る集光装置１の集光器４によれば、樹脂製の基材９を採用することにより、金属製の場合と比べて大幅な軽量化を図ることができる。しかも、樹脂製の基材９に四角形格子状の補強リブ面Ａを設けることで、樹脂使用量を少なく抑えつつ基材９の強度を十分に確保することができる。このような補強リブ面Ａは、樹脂製の基材９の一体成形により容易に形成することができるので、製造コスト低減に有利である。更に、風等により集光器４が受ける荷重をトルクチューブ１０及び金属リブ１１によって効率的に分担する構成とすることで、集光器４の構造の簡素化及び軽量化を図りつつ、集光器４の強度を確保することができる。また、トルクチューブ１０及び金属リブ１１を備えることにより基材の強度的負担を軽減できるので、基材９の薄型化及び軽量化を図ることができる。従って、この集光器４によれば、従来品と比べて大幅な軽量化を図ることができる。
【００４０】
また、この集光器４によれば、反射部３にフィルムミラーを採用することで、ガラスミラーを用いる場合と比べて、大幅な軽量化が可能になる。更に、この集光器４によれば、製造コスト増加の原因であったガラスの湾曲加工が不要となるので、集光器４の低コスト化を図ることができる。
【００４１】
従って、この集光装置１によれば、集光器４の大幅な軽量化を図ることができるので、集光装置１全体の軽量化が実現できる。また、この集光装置１では、集光器４の軽量化により駆動機構７に求められる出力が小さくなるので、駆動機構７を小型なものとすることができ、装置の製造コスト低減を図ることができる。
【００４２】
［第２の実施形態］
図５に示されるように、第２の実施形態に係る集光装置の集光器２０は、第１の実施形態に係る集光器４と比べて、風通しスリットＳを有している点が主に相違する。
【００４３】
第２の実施形態に係る集光器２０では、反射部３の正面側から基材９の裏側へ抜ける横長の風通しスリットＳが反射部２１及び基材２２に形成されている。風通しスリットＳは、反射部２１及び基材２２を構成する四列のミラーユニットの間にそれぞれ形成されている。図３に四列のミラーユニットのミラー面の列２１ａ〜２１ｄを示す。
【００４４】
この第２の実施形態に係る集光器２０によれば、風通しスリットＳにより集光器２０に吹き付ける風を通過させることができるので、風により集光器２０に加えられる荷重を大きく減らすことができる。従って、この集光器２０によれば、風に対する耐久性を向上させることができるので、集光器２０の寿命向上が図られる。
【００４５】
本発明は、上述した実施形態に限定されるものではない。
【００４６】
本発明に係る集光装置は、様々な用途に活用することができる。例えば、太陽熱発電の他、レシーバ２に太陽電池を配置することにより、集光型の太陽光発電装置として活用することもできる。
【００４７】
また、反射部３においてフィルムミラーに代えて薄型ガラスミラーを採用しても良い。本発明によれば、反射部３に強度を持たせる必要がないので、厚さが０．０３ｍｍ〜１ｍｍの薄型ガラスミラーを採用することにより、集光器４の軽量化を図ることができる。なお、反射部２１に薄型ガラスミラーを採用した場合も同様である。
【００４８】
また、基材９の形状は、実施形態で示したものに限られない。例えば、基材９は、一部がフレーム形状等であっても良く、反射部３を適切に支持できる形状であれば良い。また、基材９は、接着剤により反射部３と接着されている構成であっても良く、機械的に反射部３を把持する構成であっても良い。
【００４９】
また、補強リブ面Ａの形状は、四角形格子状に限られず多角形格子状であれば良い。例えば補強リブ面Ａの形状は、三角形格子状であっても良く、五角形格子状、六角形格子状等であっても良い。また、三角形や四角形等が組み合わされた格子の形状であっても良い。その他、基材９を補強できる構造であれば、必ずしも格子である必要はなく、四角形格子状等に類似する形状であっても良い。また、実施形態では、基材９の裏側全体に補強リブ面Ａが設けられているが、一部のみに補強リブ面Ａが設けられている態様であっても良い。
【００５０】
また、特許請求の範囲に記載のねじれ荷重受け部材の形状は、必ずしもトルクチューブ１０の形状である必要はない。ねじれ荷重受け部材は、丸棒や多角柱、板状、その他の様々な形状であっても良く、基材９に加わるねじれ荷重を受けられる形状であれば良い。
【００５１】
同様に、特許請求の範囲に記載の曲げ加重受け部材は、必ずしも金属製である必要はなく、樹脂製であっても良い。また、曲げ加重受け部材は、ねじれ荷重受け部材と直交する方向に限られず、ねじれ荷重受け部材と交差する方向に延在する構成であれば良い。曲げ加重受け部材の形状も金属リブ１１の形状に限られず、基材９に加わる曲げ荷重を受けられる形状であれば良い。
【００５２】
また、第２の実施形態に示す風通しスリットＳは、一箇所又は二箇所のみであっても良く、四箇所以上形成されていても良い。また、風通しスリットＳは、横方向に長く形成される必要はなく、縦方向や斜め方向に長く形成されても良い。また、風通しスリットＳの形状は、長方形状の他、楕円形状等であっても良い。
【符号の説明】
【００５３】
１…集光装置  ２…レシーバ  ３，２１…反射部  ３ａ-３ｄ，２１ａ-２１ｄ…ミラー面の列  ４，２０…集光器  ５…レシーバ支持部材  ６…支持台  ７…駆動機構  ９，２２…基材  ９ａ-９ｄ…基材パネルの列  １０…トルクチューブ（ねじれ荷重受け部材）  １１…金属リブ（曲げ荷重受け部材）  １２…横リブ  １３…縦リブ  ２１…反射部  Ａ…補強リブ面  Ｓ…風通しスリット
【図１】
2013029537.tif 000003
【図２】
2013029537.tif 000004
【図３】
2013029537.tif 000005
【図４】
2013029537.tif 000006
【図５】
2013029537.tif 000007